(57)【要約】      （修正有）【課題】演奏音の音響特性を効果的に調整することができる電気弦楽器を提供する。【解決手段】電気弦楽器１００は、第１基材１１と第２基材１２との間に平板状の中間材１３を積層した本体部１０と、基端側に位置する接合面Ｓ２が中間材１３の表面に面接触した状態で本体部１０に固定されるネック部２０と、ネック部２０の先端側に設置されて弦の一端を支持するヘッド部３０とを具備する。【選択図】図２
0003202756.tif 000002
【実用新案登録請求の範囲】
【請求項１】
第１基材と第２基材との間に平板状の中間材を積層した本体部と、
基端側に位置する接合面が前記中間材の表面に面接触した状態で前記本体部に固定されるネック部と、
前記ネック部の先端側に設置されて弦の一端を支持するヘッド部と
を具備する電気弦楽器。
【請求項２】
前記中間材は、前記第１基材および前記第２基材と比較して剛性が高い
請求項１の電気弦楽器。
【請求項３】
前記中間材は、前記第１基材および前記第２基材と比較して剛性が低い
請求項１の電気弦楽器。
【請求項４】
締結具により前記本体部に固定されて弦を支持するブリッジを具備し、
前記締結具は、前記第１基材の貫通孔を介して前記中間材に接触する
請求項１から請求項３の何れかの電気弦楽器。
【請求項５】
前記第１基材および前記第２基材は、接着剤により前記中間材に接合され、
前記ネック部の接合面と前記中間材の表面との間には前記接着剤が介在しない
請求項１から請求項４の何れかの電気弦楽器。
【考案の詳細な説明】
【技術分野】
【０００１】
本考案は、エレキギターやエレキベース等の電気弦楽器に関する。
【背景技術】
【０００２】
電気弦楽器の演奏音の音響特性を調整するための各種の技術が従来から提案されている。例えば特許文献１には、エレキギターの本体部（ボディ）の表面に金属板を設置することでサスティン（持続音）を強調する構成が開示されている。
【先行技術文献】
【特許文献】
【０００３】
【特許文献１】米国特許第４８２９８７０号明細書
【考案の概要】
【考案が解決しようとする課題】
【０００４】
しかし、特許文献１の技術のもとでは、本体部の表面に金属板を設置するに過ぎないから、音響特性の調整の余地は限定的であり、多様な音響特性を実現することは実際には困難である。以上の事情を考慮して、本考案は、電気弦楽器の演奏音の音響特性を効果的に調整することを目的とする。
【課題を解決するための手段】
【０００５】
以上の課題を解決するために、本考案の電気弦楽器は、第１基材と第２基材との間に平板状の中間材を積層した本体部と、基端側に位置する接合面が中間材の表面に面接触した状態で本体部に固定されるネック部と、ネック部の先端側に設置されて弦の一端を支持するヘッド部とを具備する。以上の構成では、ネック部のうち基端側に位置する接合面が本体部のうち第１基材と第２基材との間の中間材の表面に面接触するから、中間材およびネック部の各々の振動特性が他方の振動特性（ひいては演奏音の音響特性）に効果的に反映される。したがって、電気弦楽器の演奏音の音響特性を効果的に調整することが可能である。
【０００６】
本考案の好適な態様において、中間材は、第１基材および第２基材と比較して剛性が高い。以上の態様では、第１基材および第２基材と比較して中間材の剛性が高いから、ネック部の振動が中間材により減衰し難い。したがって、サスティンが長い演奏音を生成することが可能である。
【０００７】
本考案の好適な態様において、中間材は、第１基材および第２基材と比較して剛性が低い。以上の態様では、第１基材および第２基材と比較して中間材の剛性が低いから、ネック部の振動が中間材により減衰し易い。したがって、サスティンが短い演奏音を生成することが可能である。
【０００８】
本考案の好適な態様において、締結具により本体部に固定されて弦を支持するブリッジを具備し、締結具は、第１基材の貫通孔を介して中間材に接触する。以上の態様では、弦に発生した振動がブリッジから締結具を介して中間材に伝播する。したがって、中間材およびブリッジの各々の振動特性を他方の振動特性（ひいては演奏音の音響特性）に効果的に反映させることが可能である。
【０００９】
本考案の好適な態様において、第１基材および第２基材は、接着剤により中間材に接合され、ネック部の接合面と中間材の表面との間には接着剤が介在しない。以上の態様では、第１基材および第２基材を中間材に接合するための接着剤がネック部の接合面と中間材の表面との間には介在しないから、第１基材または第２基材と中間材との間で接着剤による振動の吸収は発生しない。したがって、中間材およびネック部の振動特性を効果的に電気弦楽器の音響特性に反映させることが可能である。
【図面の簡単な説明】
【００１０】
【図１】本考案の好適な形態に係る電気弦楽器の平面図および側面図である。
【図２】電気弦楽器の分解図である。
【図３】図１におけるIII-III線の断面図である。
【考案を実施するための形態】
【００１１】
図１は、本考案の好適な形態に係る電気弦楽器１００の平面図および側面図であり、図２は、電気弦楽器１００の分解図である。図１に例示される通り、実施形態の電気弦楽器１００は、本体部１０とネック部２０とヘッド部３０と複数の弦４０とを具備するエレキギターまたはエレキベースである。長尺状のネック部２０の基端側が本体部１０に固定され、ネック部２０の先端側にヘッド部３０が設置される。ヘッド部３０には、複数の弦４０の各々の端部が固定されるペグ３２が設置される。なお、図２では複数の弦４０の図示を便宜的に省略した。
【００１２】
本体部１０は、電気弦楽器１００の胴体（ボディ）であり、図１および図２に例示される通り、第１基材１１と第２基材１２と中間材１３とを積層して一体に構成した積層材で形成される。中間材１３は、相互に反対側に位置する第１面１３１と第２面１３２とを包含する平板状の部材であり、第１基材１１および第２基材１２とは別種の材料で形成される。実施形態の中間材１３は、本体部１０の全域にわたる外形に成形され、板厚は全域にわたり均一である。
【００１３】
第１基材１１は中間材１３の第１面１３１に接合され、第２基材１２は中間材１３の第２面１３２に接合される。第１基材１１および第２基材１２は、例えば接着剤を利用して中間材１３に接合される。以上に説明した通り、実施形態の本体部１０は、第１基材１１と第２基材１２との間に平板状の中間材１３を積層した複合体である。電気弦楽器１００の通常の演奏時には、第１基材１１は受聴者側に位置し、第２基材１２は演奏者側に位置する。以上のように第１基材１１と第２基材１２との間に中間材１３が介在する構成によれば、例えば中間材１３が表層に位置する構成と比較して、意匠的な自由度を確保できるという利点がある。
【００１４】
第１基材１１と第２基材１２と中間材１３との各々の板厚は任意であるが、第１基材１１および第２基材１２の板厚が略同等であり、かつ、中間材１３の板厚が第１基材１１および第２基材１２の各々の板厚を下回る構成が好適である。具体的には、本体部１０の全体の板厚（第１基材１１と第２基材１２と中間材１３との板厚の合計）に対する中間材１３の板厚の比率は、例えば５％以上かつ２０％以下（さらに好適には１０％以下）に設定される。
【００１５】
第１基材１１と第２基材１２とは共通の材料で形成される。例えば、アルダー材、アッシュ材、マホガニー材、またはバスウッド材等の各種の木材が第１基材１１および第２基材１２の材料として好適である。ただし、第１基材１１と第２基材１２とで材料を相違させることも可能である。また、中間材１３の材料としては、例えばエボニー材（黒檀）、ローズウッド材、メープル材、スプルース材等の各種の木材が採用され得る。また、木材以外に、カーボン等の人工材料またはアルミ等の金属材料により中間材１３を形成することも可能である。
【００１６】
図２から理解される通り、第２基材１２と中間材１３とは外形が略一致する。他方、第１基材１１の外形は、第２基材１２および中間材１３と同様の外形に切欠部１５を形成した形状である。切欠部１５は、第２基材１２および中間材１３の外形と比較して矩形状に窪んだ凹部である。したがって、第１基材１１が中間材１３の第１面１３１に接合された状態では、第１基材１１の切欠部１５の内側に、中間材１３の第１面１３１のうち一部の領域（以下「接合面」という）Ｓ1が露出する。切欠部１５の内壁面で三方を包囲された空間の底面が接合面Ｓ1に相当する。第１基材１１と中間材１３との接合に使用される接着剤は、接合面Ｓ1では除去される。
【００１７】
図１および図２に例示される通り、第１基材１１のうち中間材１３とは反対側の表面（本体部１０の表面）にはピックアップ５２とブリッジ５４とが設置される。ピックアップ５２は、演奏者による撥弦で弦４０に発生した振動に応じた電気信号を生成する検出器であり、第１基材１１のうち中間材１３とは反対側の表面に設置されて複数の弦４０に対向する。ピックアップ５２が生成した電気信号は、例えばアンプ等の音響装置に供給されたうえで、スピーカやヘッドホン等の放音装置から音響として再生される（何れも図示略）。
【００１８】
ブリッジ５４は、ヘッド部３０のペグ３２とともに複数の弦４０を支持する構造体である。具体的には、ブリッジ５４は、各弦４０のうちヘッド部３０とは反対側の端部を支持する。すなわち、本体部１０とヘッド部３０とにわたり所定の張力をもって複数の弦４０が架設される。図１に例示される通り、実施形態のブリッジ５４は、複数の締結具６２により本体部１０に固定される。締結具６２は、例えばネジやボルトである。具体的には、締結具６２は、図１の側面図から理解される通り、第１基材１１に形成された貫通孔Ｈ1に挿入され、先端部が中間材１３に接触した状態で固定される。すなわち、締結具６２は中間材１３に連結される。なお、締結具６２が中間材１３を貫通した構成も採用され得る。
【００１９】
ネック部２０は、演奏者が把持する部分であり、図１に例示される通り、長棹部２２と指板（フィンガーボード）２４と複数のフレット２６とを包含する。長棹部２２は、本体部１０とヘッド部３０との間に位置する長尺状の部分である。具体的には、長棹部２２の基端部が本体部１０に固定され、長棹部２２の先端部にヘッド部３０が設置される。実施形態の長棹部２２とヘッド部３０とは、単体の平板材の切削により一体に形成される。例えばメープル等の木材で長棹部２２およびヘッド部３０が形成される。なお、ネック部２０の短手方向（電気弦楽器１００の横方向）に複数の板材（例えばメープル材とマホガニー材）を積層した積層材で長棹部２２およびヘッド部３０を形成することも可能である。
【００２０】
指板２４は、長棹部２２の表面に固定される。指板２４は、例えばローズウッド材、エボニー材、およびメープル材等の木材で形成された長尺状の平板材である。複数のフレット２６は、ネック部２０の長手方向に沿って相互に間隔をあけて指板２４の表面に設置される。複数の弦４０は指板２４および複数のフレット２６に対向する。
【００２１】
図３は、図１におけるIII-III線の断面図である。図３では、本体部１０に対する固定前のネック部２０の外形が鎖線で図示され、複数の弦４０の図示は便宜的に省略されている。図２および図３に例示される通り、ネック部２０の基端側には接合面Ｓ2が形成される。実施形態の接合面Ｓ2は、長棹部２２における指板２４とは反対側の表面のうち当該ネック部２０の基端側に位置する平坦面である。
【００２２】
図２および図３に例示される通り、第１基材１１の切欠部１５にネック部２０の基端側の部分が隙間なく嵌まった状態でネック部２０と本体部１０とが相互に固定される。具体的には、図３に例示される通り、中間材１３のうち切欠部１５の内側に位置する接合面Ｓ1とネック部２０の接合面Ｓ2とが面接触した状態で、本体部１０とネック部２０とは相互に固定される。第１基材１１を中間材１３に接合するための接着剤は、接合面Ｓ1では除去されているから、中間材１３の接合面Ｓ1とネック部２０の接合面Ｓ2とは、接着剤も介在せずに相互に隙間なく密着する。また、第１基材１１の切欠部１５の内壁面にはネック部２０の側面が面接触する。
【００２３】
図１および図２に例示される通り、実施形態のネック部２０は、複数の締結具６４により本体部１０に固定される。締結具６４は、例えばネジやボルトである。具体的には、締結具６４は、図１の側面図および図２に例示される通り、第２基材１２に形成された貫通孔Ｈ2に挿入され、先端部が中間材１３に接触した状態で固定される。すなわち、締結具６４は中間材１３に連結される。なお、締結具６４が中間材１３を貫通した構成も採用され得る。
【００２４】
以上に例示した構成では、演奏者による撥弦で弦４０に発生した振動が、ネック部２０を経由して中間材１３に伝播する。したがって、中間材１３の振動特性がネック部２０の振動モードに反映される。本体部１０のうち中間材１３の接合面Ｓ1とネック部２０の接合面Ｓ2とは面接触するから、中間材１３およびネック部２０の各々の振動特性を他方の振動特性（ひいては演奏音の音響特性）に効果的に反映させることが可能である。したがって、電気弦楽器１００の演奏音の音響特性を効果的に調整できるという利点がある。実施形態では、中間材１３が本体部１０の全域にわたるから、例えば中間材１３が本体部１０の一部のみに分布する構成と比較して、演奏音の音響特性を効果的に調整できるという効果は格別に顕著である。第１基材１１および第２基材１２の剛性と中間材１３の剛性との関係に着目して、演奏音の具体的な音響特性を以下に説明する。
【００２５】
まず、第１基材１１および第２基材１２と比較して剛性が高い材料で中間材１３を形成した構成（以下「構成Ａ」という）を想定する。構成Ａでは、各弦４０からネック部２０に伝播した振動のエネルギーが中間材１３にて吸収され難い（エネルギーの損失が抑制される）から、ネック部２０の振動（ひいては弦４０の振動）が中間材１３により減衰し難い。したがって、構成Ａによれば、サスティンが長い演奏音を生成することが可能である。
【００２６】
なお、第１基材１１および第２基材１２を中間材１３に接合するための接着剤が接合面Ｓ1と接合面Ｓ2との間にも介在する構成（以下「対比例１」という）では、第１基材１１から中間材１３に伝播する振動が接着剤で吸収され得る。実施形態では、接合面Ｓ1と接合面Ｓ2との間に接着剤が介在せず両者は直接に密着するから、第１基材１１と中間材１３との間で接着剤による振動の吸収は発生しない。したがって、対比例１と比較して、中間材１３およびネック部２０の振動特性を効果的に演奏音の音響特性に反映させる（例えば演奏音のサスティンを充分に持続させる）ことが可能である。
【００２７】
また、楽器本体の全部を剛性の高い材料で一体に形成した構成（以下「対比例２」という）でも、演奏音のサスティンを充分に維持することは可能である。しかし、剛性の高い材料は一般的に比重が高い傾向があるから、対比例２では軽量化が困難であるという問題がある。実施形態では、本体部１０の一部である中間材１３を剛性が高い材料で形成できるから、対比例２と比較して電気弦楽器１００を軽量化しながら、演奏音のサスティンを維持できるという利点がある。実施形態では、本体部１０の全体の板厚に対する中間材１３の板厚の比率が５％以上かつ２０％以下に設定されるから、電気弦楽器１００の軽量化の効果は格別に顕著である。
【００２８】
次に、第１基材１１および第２基材１２と比較して剛性が低い材料で中間材１３を形成した構成（以下「構成Ｂ」という）を想定する。構成Ｂでは、各弦４０からネック部２０に伝播した振動のエネルギーが中間材１３にて吸収され易いから、ネック部２０の振動が減衰し易い。したがって、構成Ｂによれば、サスティンが短い演奏音（すなわちアタックの直後に迅速に減衰する音響）を生成することが可能である。
【００２９】
なお、本体部１０にネック部２０を面接触させる構成としては、本体部１０の第１基材１１にネック部２０の長棹部２２を面接触させた構成（以下「対比例３」という）も想定され得る。対比例３では、第１基材１１の剛性とネック部２０の長棹部２２の剛性とが相違する場合に、長棹部２２から第１基材１１に伝播する振動が両者間で顕著に減衰し得る。実施形態では、中間材１３の剛性を、第１基材１１とネック部２０の長棹部２２との中間の剛性とすることで、ネック部２０から中間材１３に伝播する振動の減衰を抑制し、かつ、中間材１３から第１部材に伝播する振動の減衰を抑制することが可能である。したがって、実施形態によれば、対比例３と比較してネック部２０の振動の減衰を効果的に抑制できる（ひいては演奏音のサスティンを充分に維持できる）という利点がある。
【００３０】
また、実施形態では、ブリッジ５４を本体部１０に固定するための締結具６２が中間材１３に接触するから、演奏者による撥弦で弦４０に発生した振動は、ブリッジ５４から締結具６２を介して中間材１３に伝播する。したがって、中間材１３の振動特性をブリッジ５４の振動特性（ひいては演奏音の音響特性）にも効果的に反映させることが可能である。
【００３１】
なお、実施形態では、中間材１３の接合面Ｓ1とネック部２０の接合面Ｓ2との間に接着剤が介在しない構成を例示したが、第１基材１１を中間材１３に接合するための接着剤を接合面Ｓ1と接合面Ｓ2との間に介在させることも可能である。すなわち、第１基材１１の接合のために中間材１３の第１面１３１に塗布された接着剤を、接合面Ｓ1から除去しない構成も採用され得る。接合面Ｓ1と接合面Ｓ2との間に介在する接着剤が充分に薄い構成は、接合面Ｓ1と接合面Ｓ2とが面接触した構成であると実質的には解釈できる。
【符号の説明】
【００３２】
１００……電気弦楽器、１０……本体部、１１……第１基材、１２……第２基材、１３……中間材、１３１……第１面、１３２……第２面、１５……切欠部、２０……ネック部、２２……長棹部、２４……指板、２６……フレット、３０……ヘッド部、３２……ペグ、４０……弦、５２……ピックアップ、５４……ブリッジ、６２，６４……締結具、Ｓ1，Ｓ2……接合面、Ｈ1，Ｈ2……貫通孔。
【図１】
0003202756.tif 000003
【図２】
0003202756.tif 000004
【図３】
0003202756.tif 000005